(57)【要約】      （修正有）【課題】簡単な操作で錠剤をスムーズに取り出すことが可能な錠剤定量取出容器を提供する。【解決手段】側壁を構成する筒状部に連設される底壁２３中央より起立設した支柱２４を備えた容器本体２と、錠剤Ｔを内部に収容した状態で容器本体の内側に組み込まれ、容器本体に対して昇降自在な内容器３と、内容器の上部に設けられる受け部４と、容器本体２の上部を覆うキャップと、を有する錠剤定量取出容器であって、内容器の頂壁３３から通路部３６が設けられ、通路部の内面下部には通路支持部３６aを形成しており、内容器の底部３７は、支柱を外挿することが可能な支柱筒３７ｃを有し、かつ底部下面と底壁上面の間に弾性変形可能な弾性部材３９を備えており、受け部の吐出口の内面上端部には吐出口支持部を形成している。【選択図】図８
2019043581.tif 000002
【特許請求の範囲】
【請求項１】
側壁を構成する筒状部に連設される底壁（２３）中央より起立設した支柱（２４）を備えた容器本体（２）と、
錠剤（Ｔ）を内部に収容した状態で該容器本体（２）の内側に組み込まれ、該容器本体（２）に対して昇降自在な内容器（３）と、
該内容器（３）の上部に設けられる受け部（４）と、
該容器本体（２）の上部を覆うキャップ（５）と、を有する錠剤定量取出容器であって、
該内容器（３）の頂壁（３３）から通路部（３６）が設けられ、該通路部（３６）の内面下部には通路支持部（３６a）を形成しており、該内容器（３）の底部（３７）は、該支柱（２４）を外挿することが可能な支柱筒（３７ｃ）を有し、かつ該底部（３７）下面と該底壁（２３）上面の間に弾性変形可能な弾性部材（３９）を備えており、
該受け部（４）の吐出口（４０）の内面上端部には吐出口支持部（４５）を形成している
ことを特徴とする錠剤定量取出容器。
【請求項２】
前記内容器（３）の底部（３７）に、錠剤（Ｔ）が前記支柱（２４）上端部の受け皿（２５）に移動するための整列路（３８）を形成している請求項１に記載の錠剤定量取出容器。
【請求項３】
前記整列路（３８）の整列路底壁（３８ｂ）は、外方から内方に向かって下方へ傾斜している請求項１又は２に記載の錠剤定量取出容器。
【請求項４】
該内容器（３）の頂壁（３３）内方に断面凹状である凹部を備えている請求項１〜３のいずれかに記載の錠剤定量取出容器。
【請求項５】
前記受け部（４）の頂板部（４１）は、ヒンジ部（４２）を支点とした回動により開蓋可能である請求項１〜４のいずれかに記載の錠剤定量取出容器。
【発明の詳細な説明】
【技術分野】
【０００１】
本発明は、定量分の錠剤を取り出すための錠剤定量取出容器に関するものである。
【背景技術】
【０００２】
菓子やサプリメント等は、取り扱いや数量の管理を容易にするため錠剤に加工されることが多く、錠剤は一般に錠剤容器内に多数収容されており、使用時に所定量を錠剤容器から取り出す必要がある。ここで、錠剤を収容した容器本体の開口部を単に閉鎖する蓋を備えた一般的な錠剤容器では、開口部から蓋を外し、容器本体を傾けるなどして錠剤を手のひら上に吐出させるが、これでは所望数を超えて余分な錠剤が容器本体から吐出される場合がある。必要以上に吐出された錠剤は、容器本体内に戻されるが、一旦、手に触れた錠剤を再び容器本体内へ戻すのは、衛生管理や品質保持の観点からは好ましくはなかった。
【０００３】
このため、錠剤を定量分だけ取り出す先行技術として、例えば特許文献１には、錠剤（ガム）を湾曲された形状を有する支持面を有する内部ボトルに収納し、錠剤を昇降軸の支持栓上に移動させ、それから内部ボトルを上下に昇降させて錠剤を抽出孔から取り出している。しかしながら、特許文献１においては、錠剤を昇降軸の支持栓上に移動させる時に錠剤の大きさや形状によっては、支持栓付近で錠剤が不規則に並んで錠剤を確実に支持栓上に誘導できない課題や、錠剤が支持栓上に載った状態で上昇させた際に錠剤が脱落するなどの課題があり、錠剤をスムーズに取り出すことができないことがあった。
【先行技術文献】
【特許文献】
【０００４】
【特許文献１】特表２０１２−５３２０７３号公報
【発明の概要】
【発明が解決しようとする課題】
【０００５】
本発明の目的は、上記した従来技術における課題を解消すべく、簡単な操作で錠剤をスムーズに取り出すことが可能な錠剤定量取出容器を提供することである。
【課題を解決するための手段】
【０００６】
上記課題を解決するため、本発明の錠剤定量取出容器の主たる構成は、
側壁を構成する筒状部に連設される底壁中央より起立設した支柱を備えた容器本体と、
錠剤を内部に収容した状態で該容器本体の内側に組み込まれ、該容器本体に対して昇降自在な内容器と、
該内容器の上部に設けられる受け部と、
該容器本体の上部を覆うキャップと、を有する錠剤定量取出容器であって、
該内容器の頂壁から通路部が設けられ、該通路部の内面下部には通路支持部を形成しており、該内容器の底部は、該支柱を外挿することが可能な支柱筒を有し、かつ該底部下面と該底壁上面の間に弾性変形可能な弾性部材を備えており、
該受け部の吐出口の内面上端部には吐出口支持部を形成している
ことを特徴とする。
【０００７】
上記主たる構成では、錠剤を収容した内容器を押し下げる下降操作を行ったあと、底部と底壁の間の弾性部材によって内容器は上昇するため、このような上下に昇降移動を繰り返すことで、錠剤を取り出すことを達成し得る。
【０００８】
また、本発明の他の構成は、内容器の底部に錠剤が支柱上端部の受け皿に移動するための整列路を形成している。
【０００９】
内容器の底部に整列路を形成することによって、錠剤が受け皿付近で不規則に並ぶことを防止することが可能となり、錠剤をスムーズに取り出すことができる。
【００１０】
また、本発明の他の構成は、整列路の整列路底壁が外方から内方に向かって下方へ傾斜しているものである。
【００１１】
整列路底壁が外方から内方に向かって下方へ傾斜させることで、錠剤の受け皿部への移動がスムーズに行える。
【００１２】
また、本発明の他の構成は、内容器の頂壁内方に断面凹状である凹部を備えている。
【００１３】
頂壁内方に断面凹状である凹部を有することで、吐出された錠剤を凹部の保持することが可能である。
【００１４】
また、本発明の他の構成は、受け部の頂板部がヒンジ部を支点とした回動により開蓋可能である。
【００１５】
頂板部を開蓋可能とすることによって、通路部内に貯留されている錠剤を取り出すことが可能となった。
【発明の効果】
【００１６】
本発明は、上記した構成となっているので、以下に示す効果を奏する。
本発明の主たる構成においては、錠剤を収容した内容器を押し下げる下降操作を行ったあと、弾性部材により内容器は上昇するため、内容器をこのような上下に昇降させるという簡単な操作を繰り返すことによって、内部に収容されている錠剤をスムーズに取り出すことができる。
【図面の簡単な説明】
【００１７】
【図１】本発明の実施形態の錠剤定量取出容器の縦断面図である。
【図２】（ａ）内容器の凹部及び受け部の平面図であり、（ｂ）図１のＡ−Ａ線の横断面図である。
【図３】内容器の下降操作時の縦断面図である。
【図４】内容器が上昇して通路支持部に錠剤が載置された時の縦断面図である。
【図５】再び内容器の下降操作を行い錠剤を上方に送り出した時の縦断面図である。
【図６】図５のＢ−Ｂ線の縦断面図である。
【図７】通路内に一定量の錠剤が貯留された時の縦断面図である。
【図８】錠剤が吐出口支持部を通過した時の縦断面図である。
【図９】錠剤が受け部に載置した時の縦断面図である。
【図１０】受け部のヒンジ部を介して頂板部を開蓋し、容器本体を傾けて通路部の錠剤を取り出した時の縦断面図である。
【発明を実施するための形態】
【００１８】
以下、本発明の実施形態について図面を参照しつつ説明する。
図１に示すように、本発明の錠剤定量取出容器１は、例えば菓子やサプリメント等などの丸形状の錠剤Ｔを収容し、使用時には所定量の錠剤を容器から取り出せるようにしたものである。そして錠剤定量取出容器１は、容器本体２と、容器本体２の内部に組み込まれ錠剤Ｔを収納する内容器３と、定量分の錠剤Ｔを取り出し易い様に貯留できる受け部４と、容器本体２の上部を覆うように口筒部２１でネジ嵌合するキャップ５と、容器本体２にキャップ５を組み付けた際に気密性を高めるパッキン６と、を備える構成となっている。
【００１９】
容器本体２は、側壁を構成する筒状部を備え、その筒状部は外筒部２０と内筒部２２の２重円筒状に形成されている。外筒部２０の上部は内側に段部を介して口筒部２１が起立し、その外周面には雄ネジ部２１ａが刻設され、口筒部２１の上端に上端部２１ｂが形成されている。内筒部２２の内面上方には、後述する内容器３の上方抜けを防止する第１爪部２２ａが全周突設され、内筒部２２の下端部から底壁２３を連設し、この底壁２３中央には円筒状の支柱２４が起立連設しており、支柱２４の上端には断面凹状に形成されて成る受け皿２５を備えている。
【００２０】
内容器３は、内筒部２２内部に組み込まれるものであり、円筒状の周壁３０の外面下方には第２爪部３１が全周突設しており、第１爪部２２ａに当接して内容器３の引き上げを規制する。第２爪部３１が全周突設される時は、第１爪部２２ａは周方向に間隔をおいて複数箇所としてもよい。なお、第２爪部３１については、周方向に間隔をおいて複数箇所設けるような構成としてもよい。周壁３０の下端の内周面には周壁側係止部３２が設けられ、後述する底部側係止部３７ａと係止する構成となっている。周壁３０上方には円環状の頂壁３３が連設され、この頂壁３３の内方には断面凹状に形成されて成る凹部３４が形成されている。凹部３４は、図２（ａ）に示される様に、後述する受け部４の操作部４６に指先が入り込み、ヒンジ部４２が回動動作を行える様に更に凹んだ操作部側凹部３４ａ、ヒンジ部側凹部３４ｂを設けている。凹部３４には、後述する受け部４の係止片４４を通過させる係止溝３５が複数設けられている。凹部３４の内端からは、段部を介して円筒形状の通路部３６が垂下されており、この通路部３６の内面下部には、図２（ｂ）に示される様に、通路支持部３６ａが複数突設されており、通路部３６に貯留された錠剤Ｔの脱落防止のため通路支持部３６ａは先端が斜め上方を向くよう傾斜している。なお、通路支持部３６ａの形状は、内容器３に収容された錠剤Ｔが通路部３６に入る際乗り越え可能で、通路部３６内に入った錠剤Ｔを保持できる構造であればどのような形状（凸状や爪状等）でも構わない。
【００２１】
周壁３０の下端の周壁側係止部３２に係止する底部側係止部３７ａは、底部３７の外周でフランジ状の外縁部３７ｂが周設されている内方から起立設している。底部３７は外方から内方に向かって下方へ傾斜しており、底部３７の内端部から支柱２４を外挿することが可能な支柱筒３７ｃが形成されている。底部３７には錠剤Ｔが受け皿２５付近で不規則に並ぶことを防止するため整列路３８が形成されており、整列路３８は、図６に示される様に、底部３７から垂下される側壁３８ａと、底部３７と同様に外方から内方に向かって下方へ傾斜している整列路底壁３８ｂを備えており、錠剤Ｔを確実に一錠ずつ受け皿２５に誘導すべく、整列路底壁３８ｂの幅は錠剤Ｔの平均粒径より僅かに大きい。底部３７の下面には弾性部材３９が複数設けられており、この弾性部材３９は内容器３を押し下げる下降操作時には脚部３９ａが底壁２３上面と接するように弾性変形可能であり（図３参照）、下降操作後は弾性部材３９による付勢によって内容器３は上昇する。弾性部材３９は底部３７と一体に成形されており、下降操作後の内容器３の上昇に弾性部材３９による付勢を利用しているため、ポリアセタール（ＰＯＭ）樹脂等の強度を有する樹脂が好ましい。
【００２２】
受け部４は、略円形状の吐出口４０を中央に有する円環状の頂板部４１がヒンジ部４２を介して基部４３と連設されている。基部４３の下面からは複数の係止片４４が垂下設され、係止溝３５を貫通するようになっており、係止片４４の外周に突設されている係止突部４４ａによるアンダーカット係止によって強固に係止している。頂板部４１の吐出口４０の内縁部からは垂下片が垂下しており、図２（ｂ）に示される様に、吐出口４０の内面上端部からは吐出口支持部４５が複数突設しており、吐出口支持部４５はその上面と頂板部４１上面が面一となるように平らに設けられている。なお、吐出口支持部４５の形状は、通路部３６内に錠剤Ｔを貯留でき、吐出口４０から錠剤Ｔが出てくる際乗り越えできる構造であればどのような形状（凸状や爪状等）でも構わない。そして、頂板部４１のヒンジ部４２と向かい合う反対側には、操作部４６が外フランジ状に延設されている。
【００２３】
キャップ５は、口筒部２１の雄ネジ部２１ａにネジ嵌合する有頂筒状のオーバーキャップ体であり、円盤状の天壁部５１と、天壁部５１の端縁から垂下された円筒形状の周壁部５３とを備えている。周壁部５３は段部５２を有し、段部５２下面には後述するパッキン６が支持片５２ａにより保持されている。段部５２より下方の周壁部５３の内周面には、容器本体２の雄ネジ部２１ａにネジ嵌合する雌ネジ部５４が形成されている。
また、キャップ５の段部５２の下面には、ゴムなどの弾性体から成る環状のパッキン６が嵌合されている。このパッキン６が、段部５２と上端部２１ｂとの間に挟み込まれることでシール性を発揮し、錠剤定量取出容器１は密封される。
【００２４】
次に、このように構成された錠剤定量取出容器１の作用について説明する。
図１に示される本発明の錠剤定量取出容器１の収納時にあっては、内容器３は弾性部材３９による付勢によって上昇状態であり、受け皿２５には錠剤Ｔが一粒載置している。
【００２５】
使用時にあってはまず初めに、容器本体２の上部を覆うキャップ５を取り外し、その後、図３に示されるように、頂壁３３を押して内容器３を押し下げ、支柱筒３７ｃの下端が底壁２３上面に接するまで下降操作を行い、弾性部材３９の脚部３９ａを底壁２３上面に接するように弾性変形させる。この下降操作で、通路部３６の通路支持部３６ａは錠剤Ｔを乗り越し、通路支持部３６ａは錠剤Ｔの下方に位置することになる。
【００２６】
次に、内容器３の下降操作による押し下げを終了させると、図４に示される様に、弾性部材３９による付勢によって内容器３は上昇し、受け皿２５上の錠剤Ｔは、通路部３６からの錠剤Ｔの脱落を防止する通路支持部３６ａに載置する。通路支持部３６ａに錠剤Ｔが載置したことで、受け皿２５には錠剤Ｔが無くなるが、内容器３が上昇していき、整列路３８の内方の整列路底壁３８ｂが受け皿２５より高くなると、整列路３８内方側の錠剤Ｔが受け皿２５に移動して載置する。
【００２７】
その後、図５に示される様に、内容器３の下降操作による押し下げを更に行うことによって、通路部３６内において錠剤Ｔを一錠上方に送り出すことができ、そして内容器３を上昇させ錠剤Ｔを受け皿２５に載置させる、昇降操作を数度繰り返すことによって、錠剤Ｔを一錠ずつ上方に送り出せ、図７に示される様に、通路内３６に錠剤Ｔが貯留される。
【００２８】
通路内３６に錠剤Ｔを十分に貯留された状態で、更に下降操作を行い錠剤Ｔを上方に送り出すと、図８に示される様に、吐出口支持部４５を通過した錠剤Ｔを吐出口４０から取り出すことができる。
【００２９】
その後、図９に示される様に、内容器３を弾性部材３９の付勢により上昇させると、吐出口支持部４５を通過した錠剤Ｔは頂板部４１あるいは凹部３４に載置された状態となり、また通路部３６内の錠剤Ｔは通路支持部３６ａと吐出口支持部４５によって通路部３６に貯留された状態となる。
【００３０】
そして、図１０に示される様に、内容器３内に送り出すための錠剤Ｔが無くなった場合あるいは錠剤Ｔをまとめて複数個取り出したい場合は、受け部４の操作部４６を指先で押し上げ、ヒンジ部４２を支点として頂板部４１を回動させて開蓋し、容器本体２を傾けることで通路部３６内に貯留されている錠剤Ｔを取り出すことが可能である。
【００３１】
以上、実施例に沿って本発明の構成とその作用効果について説明したが、本発明の実施の形態は上記実施形態に限定されるものではない。
例えば上記実施形態では、弾性部材３９を底部３７下面から一体に形成しているが、底壁２３上面から延設するように容器本体２と一体に形成してもよいし、弾性部材３９を別体として内容器３を上昇させるように付勢させてもよい。
また、上記実施形態では、凹部３４を設けて吐出口支持部４５を通過した錠剤Ｔを貯留・保持できるようにしているが、受け部４の頂板部４１に凹部を設けてもよいし、頂壁３３に、受け部４を取り囲む起立壁を形成してもよい。
更に、上記実施形態では、キャップ５を別体としているが、容器本体２にヒンジ部材にて連結する蓋構造としてもよい。
また、上記実施形態において、キャップ５が閉蓋している時、キャップ５によって内容器３を押圧させ、内容器３の下降状態を保持させる構成としてもよい。内容器３が下降状態であるため錠剤Ｔが通路部３６内に収容されている状態となり、キャップ５を開蓋した時、通路部３６内の錠剤Ｔをすぐ取り出すことも可能となる。
また更に、上記実施形態では、容器本体２と内容器３が全体として円筒状の場合を示して説明したが、本発明はこれに限られるものではなく、それぞれ楕円筒状、あるいは角筒状の容器であっても構わない。
【産業上の利用可能性】
【００３２】
以上説明したように、本発明は、錠剤を定量分だけ取り出す錠剤定量取出容器における用途展開をさらに広い領域で図ることができる。
【符号の説明】
【００３３】
１    ；錠剤定量取出容器
２    ；容器本体
３    ；内容器
４    ；受け部
５    ；キャップ
６    ；パッキン
２０  ；外筒部
２１  ；口筒部
２１ａ；雄ネジ部
２１ｂ；上端部
２２  ；内筒部
２２ａ；第１爪部
２３  ；底壁
２４  ；支柱
２５  ；受け皿
３０  ；周壁
３１  ；第２爪部
３２  ；周壁側係止部
３３  ；頂壁
３４  ；凹部
３４ａ；操作部側凹部
３４ｂ；ヒンジ部側凹部
３５  ；係止溝
３６  ；通路部
３６ａ；通路支持部
３７  ；底部
３７ａ；底部側係止部
３７ｂ；外縁部
３７ｃ；支柱筒
３８  ；整列路
３８ａ；側壁
３８ｂ；整列路底壁
３９  ；弾性部材
３９ａ；脚部
４０  ；吐出口
４１  ；頂板部
４２  ；ヒンジ部
４３  ；基部
４４  ；係止片
４４ａ；係止突部
４５  ；吐出口支持部
４６  ；操作部
５１  ；天壁部
５２  ；段部
５２ａ；支持片
５３  ；周壁部
５４  ；雌ネジ部
Ｔ    ；錠剤
【図１】
2019043581.tif 000003
【図２】
2019043581.tif 000004
【図３】
2019043581.tif 000005
【図４】
2019043581.tif 000006
【図５】
2019043581.tif 000007
【図６】
2019043581.tif 000008
【図７】
2019043581.tif 000009
【図８】
2019043581.tif 000010
【図９】
2019043581.tif 000011
【図１０】
2019043581.tif 000012